【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
所定の収差制御設計を備える接眼システムを与えるステップと、
中心軸上焦点に対する周辺軸外焦点の前方−後方位置を制御するステップであって、周辺焦点の位置の前記制御が少なくとも１つの実質的に矯正的な刺激を引き起こすステップと、
眼成長を変化させるために、前記実質的に矯正的な刺激を眼に対して与えるステップであって、周辺焦点の位置の前記制御が行なわれると同時に、中心軸上焦点の前方−後方位置を網膜付近に制御するステップと、
明瞭な視像を実質的に同時に与えるステップとを含み、
前記接眼システムが、前記眼との実質的に軸方向のアライメントを維持する、
相対像面湾曲を変えるための光学収差の制御方法。
【請求項２】
周辺軸外焦点の前方−後方位置を制御するために、前記接眼システムを与えるステップは、眼の角膜から網膜に向かって所定距離離間した位置へと周辺軸外焦点の位置を変える段階を更に含み、
前記距離が、角膜から網膜までの距離以下である、請求項１に記載の方法。
【請求項３】
前記周辺軸外焦点の前方−後方位置を制御するステップは、非点収差を示す接眼システムにおいて、該非点収差によって生じる２つの周辺線焦点のうち、第２の周辺線焦点よりも眼の角膜に近い第１の周辺線焦点が、眼の角膜から周辺網膜に向かって所定距離離間した位置へと変えられるように、非点収差によって生じる周辺軸外線焦点の位置を変える段階を更に含み、
前記距離が、角膜から周辺網膜までの距離以下である、請求項１に記載の方法。
【請求項４】
近視を呈する眼において近視が弱められる、請求項２に記載の方法。
【請求項５】
近視を呈する眼において近視が弱められる、請求項３に記載の方法。
【請求項６】
周辺軸外焦点の前方−後方位置を制御するために、前記接眼システムを与えるステップは、眼の禽膜から網膜に向かって所定距離離間した位置へと周辺焦点の位置を変える段階を更に含み、
前記距離が、角膜から網膜までの距離よりも大きい、請求項１に記載の方法。
【請求項７】
遠視を呈する眼において遠視が弱められる、請求項６に記載の方法。
【請求項８】
前記接眼システムは、メガネ、コンタクトレンズ、オンレー、インレー、前房レンズ、人工水晶体、角膜矯正術、屈折角膜刻設およびこれらの組み合わせからなる群から選択される、請求項２または３に記載の方法。
【請求項９】
前記コンタクトレンズは、連続装着コンタクトレンズおよび長時間装着コンタクトレンズからなる群から選択される、請求項８に記載の方法。
【請求項１０】
前記接眼システムは、メガネ、コンタクトレンズ、オンレー、インレー、前房レンズ、人工水晶体、角膜矯正術、屈折角膜刻設およびこれらの組み合わせからなる群から選択される、請求項６に記載の方法。
【請求項１１】
前記コンタクトレンズは、連続装着コンタクトレンズおよび長時間装着コンタクトレンズからなる群から選択される、請求項１０に記載の方法。
【請求項１２】
前記刺激が実質的に連続的に与えられる、請求項１に記載の方法。
【請求項１３】
周辺軸外焦点の前方−後方位置を制御するために前記接眼システムを与えるステップは、眼の角膜から網膜に向かって所定距離離間した位置へと周辺軸外焦点の位置を変える段階を更に含み、
前記距離が、角膜から網膜までの距離以下である、請求項１２に記載の方法。
【請求項１４】
前記周辺軸外焦点の前方−後方位置を制御するステップは、非点収差を示す接眼システムにおいて、該非点収差によって生じる２つの周辺線焦点のうち、第２の周辺線焦点よりも眼の角膜に近い第１の周辺線焦点が、眼の角膜から周辺網膜に向かって所定距離離間した位置へと変えられるように、非点収差によって生じる周辺軸外線焦点の位置を変える段階を更に含み、
前記距離が、角膜から周辺網膜までの距離以下である、請求項１３に記載の方法。
【請求項１５】
近視を呈する眼において近視が弱められる、請求項１３に記載の方法。
【請求項１６】
近視を呈する眼において近視が弱められる、請求項１４に記載の方法。
【請求項１７】
周辺軸外焦点の前方−後方位置を制御するために前記接眼システムを与えるステップは、眼の角膜から網膜に向かって所定距離離間した位置へと周辺焦点の位置を変える段階を更に含み、
前記距離が、角膜から網膜までの距離よりも大きい、請求項１２に記載の方法。
【請求項１８】
遠視を呈する眼において遠視が弱められる、請求項１７に記載の方法。
【請求項１９】
前記接眼システムは、メガネ、コンタクトレンズ、オンレー、インレー、前房レンズ、人工水晶体、角膜矯正術、屈折角膜刻設およびこれらの組み合わせからなる群から選択される、請求項１３または１４に記載の方法。
【請求項２０】
前記コンタクトレンズは、連続装着コンタクトレンズおよび長時間装着コンタクトレンズからなる群から選択される、請求項１９に記載の方法。
【請求項２１】
前記接眼システムは、メガネ、コンタクトレンズ、オンレー、インレー、前房レンズ、人工水晶体、角膜矯正術、屈折角膜刻設およびこれらの組み合わせからなる群から選択される、請求項１７に記載の方法。
【請求項２２】
前記コンタクトレンズは、連続装着コンタクトレンズおよび長時間装着コンタクトレンズからなる群から選択される、請求項２１に記載の方法。
【請求項２３】
中心軸上焦点に対する周辺軸外焦点の前方−後方位置を制御することにより、少なくとも１つの実質的に矯正的な刺激を眼に対して引き起こして眼成長を変化させる所定の矯正要素を備え、周辺焦点の位置の前記制御が行なわれると同時に、中心軸上焦点の前方−後方位置を網膜付近に制御し、また、実質的に同時に、明瞭な視像を与え、前記眼との実質的に軸方向のアライメントを維持する接眼システム。
【請求項２４】
周辺軸外焦点の前方−後方位置を制御する前記所定の矯正要素は、更に、眼の角膜から網膜に向かって所定距離離間した位置への前記周辺軸外焦点の再配置を予測可能に制御し、
前記距離が、角膜から網膜までの距離以下である、請求項２３に記載の接眼システム。
【請求項２５】
前記周辺軸外焦点の前方−後方位置を制御するステップは、非点収差を示す接眼システムにおいて、該非点収差によって生じる２つの周辺線焦点のうち、第２の周辺線焦点よりも眼の角膜に近い第１の周辺線焦点が、眼の角膜から周辺網膜に向かって所定距離離間した位置へと変えられるように、非点収差によって生じる周辺軸外線焦点の位置を変える段階を更に含み、
前記距離が、角膜から周辺網膜までの距離以下である、請求項２４に記載の接眼システム。
【請求項２６】
周辺軸外焦点の前方−後方位置を制御する前記所定の矯正要素は、更に、眼の角膜から網膜に向かって所定距離離間した位置への前記周辺軸外焦点の再配置を予測可能に制御し、
前記距離が、角膜から網膜までの距離よりも大きい、請求項２３に記載の接眼システム。
【請求項２７】
前記接眼システムは、メガネ、コンタクトレンズ、オンレー、インレー、前房レンズ、人工水晶体、角膜矯正術、屈折角膜刻設およびこれらの組み合わせからなる群から選択される、請求項２４または２５に記載の接眼システム。
【請求項２８】
前記コンタクトレンズは、連続装着コンタクトレンズおよび長時間装着コンタクトレンズからなる群から選択される、請求項２７に記載の接眼システム。
【請求項２９】
前記接眼システムは、メガネ、コンタクトレンズ、オンレー、インレー、前房レンズ、人工水晶体、角膜矯正術、屈折角膜刻設およびこれらの組み合わせからなる群から選択される、請求項２６に記載の接眼システム。
【請求項３０】
前記コンタクトレンズは、連続装着コンタクトレンズおよび長時間装着コンタクトレンズからなる群から選択される、請求項２９に記載の接眼システム。
【請求項３１】
前記刺激が眼に対して実質的に連続的に与えられる、請求項２３に記載の接眼システム。
【請求項３２】
周辺軸外焦点の前方−後方位置を制御する前記所定の矯正要素は、更に、眼の角膜から網膜に向かって所定距離離間した位置への前記周辺軸外焦点の再配置を予測可能に制御し、
前記距離が、角膜から網膜までの距離以下である、請求項３１に記載の接眼システム。
【請求項３３】
前記周辺軸外焦点の前方−後方位置を制御するステップは、非点収差を示す接眼システムにおいて、該非点収差によって生じる２つの周辺線焦点のうち、第２の周辺線焦点よりも眼の角膜に近い第１の周辺線焦点が、眼の角膜から周辺網膜に向かって所定距離離間した位置へと変えられるように、非点収差によって生じる周辺軸外線焦点の位置を変える段階を更に含み、
前記距離が、角膜から周辺網膜までの距離以下である、請求項３１に記載のシステム。
【請求項３４】
周辺軸外焦点の前方−後方位置を制御する前記所定の矯正要素は、更に、眼の角膜から網膜に向かって所定距離離間した位置への前記周辺軸外焦点の再配置を予測可能に制御し、
前記距離が、角膜から網膜までの距離よりも大きい、請求項３１に記載の接眼システム。
【請求項３５】
前記接眼システムは、メガネ、コンタクトレンズ、オンレー、インレー、前房レンズ、人工水晶体、角膜矯正術、屈折角膜刻設およびこれらの組み合わせからなる群から選択される、請求項３２または３３に記載の接眼システム。
【請求項３６】
前記コンタクトレンズは、連続装着コンタクトレンズおよび長時間装着コンタクトレンズからなる群から選択される、請求項３５に記載の接眼システム。
【請求項３７】
前記接眼システムは、メガネ、コンタクトレンズ、オンレー、インレー、前房レンズ、人工水晶体、角膜矯正術、屈折角膜刻設およびこれらの組み合わせからなる群から選択される、請求項３４に記載の接眼システム。
【請求項３８】
前記コンタクトレンズは、連続装着コンタクトレンズおよび長時間装着コンタクトレンズからなる群から選択される、請求項３７に記載の接眼システム。
【請求項３９】
少なくとも１つの所定の刺激を眼に対して伝えるために所定の収差を含むとともに、中心軸上焦点に対する周辺軸外焦点の前方−後方位置を予測可能に制御する眼器具であって、所定の規定された強度を備え、前記規定の強度は、中心軸上焦点の前方−後方位置を網膜上に予測可能に制御するとともに、明瞭な視像を実質的に与え、前記眼との実質的に軸方向のアライメントを維持する眼器具。
【請求項４０】
周辺軸外焦点の前方−後方位置を制御する前記所定の収差は、更に、眼の角膜から網膜に向かって所定距離離間した位置への前記周辺軸外焦点の再配置を予測可能に制御し、
前記距離が、角膜から網膜までの距離以下である、請求項３９に記載の眼器具。
【請求項４１】
前記周辺軸外焦点の前方−後方位置を制御するステップは、非点収差を示す接眼システムにおいて、該非点収差によって生じる２つの周辺線焦点のうち、第２の周辺線焦点よりも眼の角膜に近い第１の周辺線焦点が、眼の角膜から周辺網膜に向かって所定距離離間した位置へと変えられるように、非点収差によって生じる周辺軸外線焦点の位置を変える段階を更に含み、
前記距離が、角膜から周辺網膜までの距離以下である、請求項３９に記載の眼器具。
【請求項４２】
周辺軸外焦点の前方−後方位置を制御する前記所定の収差は、更に、眼の角膜から網膜に向かって所定距離離間した位置への前記周辺軸外焦点の再配置を予測可能に制御し、
前記距離が、角膜から網膜までの距離よりも大きい、請求項３９に記載の眼器具。
【請求項４３】
前記眼器具は、メガネ、コンタクトレンズ、オンレー、インレー、前房レンズ、および人工水晶体からなる群から選択される、請求項４０または４１に記載の眼器具。
【請求項４４】
前記コンタクトレンズは、連続装着コンタクトレンズおよび長時間装着コンタクトレンズからなる群から選択される、請求項４３に記載の眼器具。
【請求項４５】
前記眼器具は、メガネ、コンタクトレンズ、オンレー、インレー、前房レンズ、および人工水晶体からなる群から選択される、請求項４２に記載の眼器具。
【請求項４６】
前記コンタクトレンズは、連続装着コンタクトレンズおよび長時間装着コンタクトレンズからなる群から選択される、請求項４５に記載の眼器具。